(57)【要約】  【課題】  バックアップデータのサイズが小さいながらもその品質が高く、かつユーザーにかかるバックアップの作業負担が少なく、かつデータの保全性が高いバックアップ方法および前記バックアップ方法を備えた記憶再生装置。  【解決手段】  ユーザーが番組を録画する際に、録画データのバックアップを行なうかどうかの判断と、バックアップデータの作成とを、ハードディスクレコーダ６０が自動的に行う。また、バックアップ用データを通常の録画データとは物理的に隔離された領域に記憶する。またバックアップデータを、高品質の圧縮方法、もしくはＤＶＤ録画用フォーマットで圧縮を行なうことにより、バックアップデータのサイズを削減するとともに、ＤＶＤ録画にかかる処理時間を短縮する。【選択図】      図１
2006236538.tif 000002
【特許請求の範囲】
【請求項１】
映像および音声のデジタルデータを用いた記録再生方法において、
外部から入力された前記デジタルデータを非圧縮でハードディスクに記録する非圧縮デ
ータ記録工程と、
外部から入力された前記デジタルデータを圧縮してハードディスクに記録する圧縮データ
記録工程と、
前記非圧縮データを外部の画像出力装置および音声出力装置に出力する通常再生工程と、
前記圧縮データを外部の画像出力装置および音声出力装置に出力する代替再生工程と、
前記圧縮データを用いてＤＶＤ録画を実行する簡易ＤＶＤ録画工程と、
上記の各種工程の実行履歴を管理情報として記録する管理工程と、
ユーザーより録画指示を受信した際に、前記非圧縮データ記録工程を実行するとともに
、前記管理情報および録画指示情報をもとに、前記圧縮データ記録工程の実行有無および
圧縮フォーマットを決定する記録方式判別工程と、
ユーザーより録画指示を受信した際に、前記管理情報および装置情報をもとに、前記非
圧縮データ記録工程および圧縮データ記録工程に用いるハードディスク領域を決定する記
録領域判別工程と、
ユーザーより再生指示を受信した際に、前記管理情報をもとに、再生対象プログラムの
非圧縮データの有無を確認し、非圧縮データが存在する場合は通常再生工程を、非圧縮デ
ータが存在しない場合は代替再生工程を実行することを決定する再生方式判別工程と、
ユーザーよりＤＶＤ録画指示を受信した際に、前記管理情報をもとに、前記圧縮データ
記録工程で作成された圧縮データの有無および圧縮フォーマットを確認し、ＤＶＤ録画用
フォーマットと一致する圧縮データが存在する場合に前記簡易ＤＶＤ録画工程を実行する
ことを決定するＤＶＤ録画方式判別工程と、
を有することを特徴とする記録再生方法。
【請求項２】
映像および音声のデジタルデータを用いた記録再生方法において、
外部から入力された前記デジタルデータを非圧縮で内部記憶媒体に記録する非圧縮デー
タ記録工程と、
外部から入力された前記デジタルデータを圧縮して内部記憶媒体に記録する圧縮データ記
録工程と、
前記非圧縮データを外部の画像出力装置および音声出力装置に出力する通常再生工程と、
前記圧縮データを外部の画像出力装置および音声出力装置に出力する代替再生工程と、
前記圧縮データを用いて光学記録媒体に記録を行なう簡易光学媒体記録工程と、
上記の各種工程の実行履歴を管理情報として記録する管理工程と、
ユーザーより録画指示を受信した際に、前記非圧縮データ記録工程を実行するとともに
、前記管理情報および録画指示情報をもとに、前記圧縮データ記録工程の実行有無および
圧縮フォーマットを決定する記録方式判別工程と、
を有することを特徴とする記録再生方法。
【請求項３】
ユーザーより録画指示を受信した際に、管理情報および装置情報をもとに、非圧縮デー
タ記録工程および圧縮データ記録工程に用いる磁気記憶媒体の領域を決定する記録領域判
別工程
を有することを特徴とする請求項２に記載の記録再生方法。
【請求項４】
ユーザーより再生指示を受信した際に、管理情報をもとに、再生対象プログラムの非圧
縮データの有無を確認し、非圧縮データが存在する場合は通常再生工程を、非圧縮データ
が存在しない場合は代替再生工程を実行することを決定する再生方式判別工程
を有することを特徴とする請求項２に記載の記録再生方法。
【請求項５】
ユーザーより光学媒体記録指示を受信した際に、管理情報をもとに、圧縮データ記録工
程で作成された圧縮データの有無および圧縮フォーマットを確認し、光学媒体記録用フォ
ーマットと一致する圧縮データが存在する場合に簡易光学媒体記録工程を実行することを
決定する光学媒体記録方式判別工程
を有することを特徴とする請求項２に記載の記録再生方法。
【請求項６】
映像および音声のデジタルデータを用いた記録再生装置において、
外部から入力された前記デジタルデータを非圧縮でハードディスクに記録する非圧縮デ
ータ記録手段と、
外部から入力された前記デジタルデータを圧縮してハードディスクに記録する圧縮データ
記録手段と、
前記非圧縮データを外部の画像出力装置および音声出力装置に出力する通常再生手段と、
前記圧縮データを外部の画像出力装置および音声出力装置に出力する代替再生手段と、
前記圧縮データを用いてＤＶＤ録画を実行する簡易ＤＶＤ録画手段と、
上記の各種手段の実行履歴を管理情報として記録する管理手段と、
ユーザーより録画指示を受信した際に、前記非圧縮データ記録手段を実行するとともに
、前記管理情報および録画指示情報をもとに、前記圧縮データ記録手段の実行有無および
圧縮フォーマットを決定する記録方式判別手段と、
ユーザーより録画指示を受信した際に、前記管理情報および装置情報をもとに、前記非
圧縮データ記録手段および圧縮データ記録手段に用いるハードディスク領域を決定する記
録領域判別手段と、
ユーザーより再生指示を受信した際に、前記管理情報をもとに、再生対象プログラムの
非圧縮データの有無を確認し、非圧縮データが存在する場合は通常再生手段を、非圧縮デ
ータが存在しない場合は代替再生手段を実行することを決定する再生方式判別手段と、
ユーザーよりＤＶＤ録画指示を受信した際に、前記管理情報をもとに、前記圧縮データ
記録手段で作成された圧縮データの有無および圧縮フォーマットを確認し、ＤＶＤ録画用
フォーマットと一致する圧縮データが存在する場合に前記簡易ＤＶＤ録画手段を実行する
ことを決定するＤＶＤ録画方式判別手段と、
を有することを特徴とする記録再生装置。
【請求項７】
映像および音声のデジタルデータを用いた記録再生装置において、
外部から入力された前記デジタルデータを非圧縮で内部記憶媒体に記録する非圧縮デー
タ記録手段と、
外部から入力された前記デジタルデータを圧縮して内部記憶媒体に記録する圧縮データ記
録手段と、
前記非圧縮データを外部の画像出力装置および音声出力装置に出力する通常再生手段と、
前記圧縮データを外部の画像出力装置および音声出力装置に出力する代替再生手段と、
前記圧縮データを用いて光学記録媒体に記録を行なう簡易光学媒体記録手段と、
上記の各種手段の実行履歴を管理情報として記録する管理手段と、
ユーザーより録画指示を受信した際に、前記非圧縮データ記録手段を実行するとともに
、前記管理情報および録画指示情報をもとに、前記圧縮データ記録手段の実行有無および
圧縮フォーマットを決定する記録方式判別手段と、
を有することを特徴とする記録再生装置。
【請求項８】
ユーザーより録画指示を受信した際に、管理情報および装置情報をもとに、非圧縮デー
タ記録手段および圧縮データ記録手段に用いる磁気記憶媒体の領域を決定する記録領域判
別手段
を有することを特徴とする請求項７に記載の記録再生装置。
【請求項９】
ユーザーより再生指示を受信した際に、管理情報をもとに、再生対象プログラムの非圧
縮データの有無を確認し、非圧縮データが存在する場合は通常再生手段を、非圧縮データ
が存在しない場合は代替再生手段を実行することを決定する再生方式判別手段
を有することを特徴とする請求項７に記載の記録再生装置。
【請求項１０】
ユーザーより光学媒体記録指示を受信した際に、管理情報をもとに、圧縮データ記録手
段で作成された圧縮データの有無および圧縮フォーマットを確認し、光学媒体記録用フォ
ーマットと一致する圧縮データが存在する場合に簡易光学媒体記録手段を実行することを
決定する光学媒体記録方式判別手段
を有することを特徴とする請求項７に記載の記録再生装置。
【発明の詳細な説明】
【技術分野】
【０００１】
本発明は、映像および音声のデジタルデータを記録、再生する記録再生方法、およびハ
ードディスクレコーダ等の記録再生装置に関するものである。
【背景技術】
【０００２】
近年、デジタル放送により配信されるデジタル音声データおよびデジタル映像データを
受信するデジタルチューナーの開発が進められている。前記デジタルチューナーは、ＭＰ
ＥＧ２−ＴＳ等の圧縮方式で圧縮されたデジタルデータを受信し、データを劣化させるこ
となく外部装置（例えばモニター）に出力することを特徴としている。
【０００３】
前記デジタルチューナーの開発に伴い、デジタルチューナーが受信したデジタルデータ
を変質、劣化させることなく、直接デジタル方式で記録する記録再生装置（例えばバード
ディスクレコーダ）の開発が進められている。前記記録再生装置を用いれば、ユーザーは
常に、番組放送時と同レベルの画質および音質で番組を視聴することが可能である。また
従来のビデオテープ等を用いたアナログ方式の記録再生方式に比べ、何回再生処理を行な
っても映像及び音声の品質が劣化しないという特徴を持っている。
【０００４】
しかしながら映像および音声のデジタルデータは、文字データ等に比較して一データあ
たりのサイズ（データ容量）が非常に大きいため、記録再生装置は容量の大きい記録媒体
を内蔵する必要がある。一方において近年、磁気記憶装置（例えばハードディスク）の大
容量化およびコストダウン化が進んでいる。このため、ハードディスクを記録媒体として
用いた記録再生装置（ハードディスクレコーダ）が普及し始めている。
【０００５】
ハードディクスレコーダは、デジタルチューナー等の外部装置から送られてくるデジタ
ルデータ（このデータは所定の圧縮方式で圧縮されている）を、さらに圧縮や変調などの
変換処理を行わず、そのまま記録媒体（ハードディスク）に高速に記録することを特徴と
している。また記録したデータを用いて再生処理を行う際に、従来のビデオテープ方式と
比較して、高速な頭出し処理や編集処理が可能である。
【０００６】
その反面、ハードディスクは、ビデオテープやＤＶＤなどの記憶媒体に比べて衝撃や磁
気の影響に弱いという欠点があり、耐久性、信頼性の面では前記の各種記録媒体に劣る。
そのため従来は、ハードディスク内のデータを外部記憶媒体（例えばＤＶＤ、ＣＤ−Ｒ、
ＤＡＴ等）に複製する方法や、複数のハードディスクを用いたミラーリング（同内容のデ
ータを複数の記憶媒体間で同期しながら記憶する）処理により、データの保全性を高めて
いるものがあった。
【０００７】
しかしながら外部記憶媒体への複製は、外部記憶媒体のコストがかかるとともに、ユー
ザーが逐次バックアップ作業を行なわなければならないという問題があった。またミラー
リング処理については、使用する記憶媒体の数を増やすとともに、記憶媒体を収納するだ
けのサイズを記録再生装置に設ける必要があり、コスト面やサイズ面で犠牲となる部分が
大きかった。
【０００８】
上記の問題を解決するための発明として、特許文献１では、ミラーリング処理の際に作
成する複製データ（バックアップデータ）を、複製元データよりも低いビットレートで再
変換（ダウンコンバート）して作成し、これによりバックアップデータのサイズを削減し
、ハードウェア資源（ハードディスクの残容量）を有効に活用するという方法が開示され
ている。
【特許文献１】特公平６−３２９７６号公報
【発明の開示】
【発明が解決しようとする課題】
【０００９】
しかしながら前記特許文献１では、バックアップデータはバックアップ元のデータをダ
ウンコンバートして作成されているため、バックアップデータの画質と音質が劣化してい
た。このため、必ずしもユーザーが満足するレベルのバックアップデータを作成できると
は限らなかった。
【００１０】
また例えば、録画データが破損してしまい、なおかつユーザーがその録画データを用い
たＤＶＤ録画を行おうとした場合、バックアップデータを用いてＤＶＤ録画を行なわざる
をえなくなる。しかしこの場合、バックアップデータを再度、ＤＶＤ録画用フォーマット
に変換するため、データに対する変換作業が二度行なわれ、通常よりもさらに画質が劣化
するという問題が発生する。
【００１１】
本発明は、上記の問題を解決するためになされたものであり、バックアップデータのサ
イズ（データ容量）が小さいながらもその品質が高く、かつユーザーにかかるバックアッ
プの作業負担が少なく、かつデータの保全性が高いバックアップ方法を備えた記録再生方
法および記録再生装置を提供することを目的とする。
【課題を解決するための手段】
【００１２】
上記目的を達成するために本発明の録画再生方法は、
外部から入力された前記デジタルデータを非圧縮でハードディスクに記録する非圧縮デ
ータ記録工程と、
外部から入力された前記デジタルデータを圧縮してハードディスクに記録する圧縮データ
記録工程と、
前記非圧縮データを外部の画像出力装置および音声出力装置に出力する通常再生工程と、
前記圧縮データを外部の画像出力装置および音声出力装置に出力する代替再生工程と、
前記圧縮データを用いてＤＶＤ録画を実行する簡易ＤＶＤ録画工程と、
上記の各種工程の実行履歴を管理情報として記録する管理工程と、
ユーザーより録画指示を受信した際に、前記非圧縮データ記録工程を実行するとともに
、前記管理情報および録画指示情報をもとに、前記圧縮データ記録工程の実行有無および
圧縮フォーマットを決定する記録方式判別工程と、
ユーザーより録画指示を受信した際に、前記管理情報および装置情報をもとに、前記非
圧縮データ記録工程および圧縮データ記録工程に用いるハードディスク領域を決定する記
録領域判別工程と、
ユーザーより再生指示を受信した際に、前記管理情報をもとに、再生対象プログラムの
非圧縮データの有無を確認し、非圧縮データが存在する場合は通常再生工程を、非圧縮デ
ータが存在しない場合は代替再生工程を実行することを決定する再生方式判別工程と、
ユーザーよりＤＶＤ録画指示を受信した際に、前記管理情報をもとに、前記圧縮データ
記録工程で作成された圧縮データの有無および圧縮フォーマットを確認し、ＤＶＤ録画用
フォーマットと一致する圧縮データが存在する場合に前記簡易ＤＶＤ録画工程を実行する
ことを決定するＤＶＤ録画方式判別工程と、
を備えたことを特徴としている。
【００１３】
この構成によると、例えばユーザーからの録画指示があった際に、ハードディスクレコ
ーダー（記録再生装置）において、受信した映像および音声（デジタルデータ）をハード
ディスク（磁気記録媒体）に録画データ（非圧縮データ）として記録する。同時に、ハー
ドディスクに記憶されている管理情報を参照し、前記管理情報より録画対象番組の録画重
要度を算出し、算出された値が閾値を越える場合に、録画データを圧縮して圧縮データを
作成し、記録する。
【００１４】
またこの構成によると、例えばユーザーからの録画指示があった際に、ハードディスク
の空き容量を参照し、空き容量の大きい領域に録画データを、空き容量の小さい領域に圧
縮データをそれぞれ記録する。
【００１５】
またこの構成によると、制御部はユーザーの録画履歴を常に監視し、管理情報として記
憶する。例えば、ユーザーがどのような番組を録画したか、自動録画（ユーザーの指示に
よらない録画）により録画された番組があるか、ユーザーが録画番組に誤消去防止用の保
護をしているか、などをチェックし、管理情報として記憶する。
【００１６】
またこの構成によると、例えばユーザーからの再生指示があった際に、録画データもし
くは圧縮データを外部装置（例えばモニター）へ出力することにより再生処理を行なう。
正常な録画データが存在する場合は、録画データを外部装置へ出力する。逆に何らかの理
由（例えばデータの物理的な破損）により正常な録画データが存在しない場合、制御部は
データ破損の通知をユーザーに行なうとともに、再生指示のあった番組の圧縮データを検
索し、圧縮データが存在する場合に前記圧縮データを外部装置に出力する。
【００１７】
またこの構成によると、例えばユーザーからのＤＶＤ録画（録画した番組のデータをＤ
ＶＤメディアへコピーする）指示があった際に、ハードディスクに記録されている圧縮デ
ータのフォーマットをチェックし、ＤＶＤ録画用フォーマットと一致するかどうかの判断
を行なう。フォーマットが一致する場合、そのまま圧縮データ用いてＤＶＤ録画を行なう
。一致しない場合、ユーザーに対して、ＤＶＤ録画用データの作成を要求する。
【発明の効果】
【００１８】
本発明によると、録画したデジタルデータをユーザーが逐次バックアップすることなし
に、自動的にデータを圧縮して保存および管理を行なう。これにより、例えば録画データ
が破損しても、バックアップデータを用いて再生処理を行なうことが可能である。そのた
め、ユーザーはバックアップ作業を意識することなく、録画した番組を確実に視聴するこ
とができるようになっている。
【００１９】
また本発明によると、バックアップデータを高品質の圧縮処理方法を用いて作成するこ
とにより、バックアップデータのサイズを減らし、記録媒体に必要とされる容量を削減す
ることにより、装置にかかるコストを削減することができる。
【００２０】
また本発明によると、バックアップデータ作成の際に、あらかじめ定められたＤＶＤ録
画用のフォーマットで圧縮するように指定することができる。これにより、ユーザーがＤ
ＶＤ録画を行なう際に、あらかじめ作成されていたバックアップデータをＤＶＤ録画用デ
ータに流用することにより、短時間でＤＶＤ録画を行なうことができる。
【発明を実施するための最良の形態】
【００２１】
以下に、本発明の記録再生方法および記録再生装置について、図面を参照しつつ説明す
る。
［実施の形態］
〈１．ハードディスクレコーダの電気回路システムの要部構成について〉
ここで、ハードディスクレコーダ６０の電気回路システムの要部構成を図４のブロッ
ク図を用いながら説明する。
【００２２】
図４のブロック図に示すように、本発明のハードディスクレコーダ６０は、少なくとも
、制御部１１、データ入力部１２、ハードディスク１３、バッファメモリ１４、圧縮プロ
グラム１５、データ出力部１６、ＤＶＤメディアスロット１７、操作ボタン群２１、フロ
ントパネル２２、を含むように構成されている。なお図４は、内蔵されているハードディ
スク１３が一台である場合の構成である。内蔵されているハードディスク１３が複数台で
ある場合の構成については後述する。
【００２３】
制御部１１は、ハードディスクレコーダ６０の各部材の駆動を有機的に制御して、記録
再生処理を統括制御するものである。また制御部１１は、各装置（例えばハードディスク
１３等）の制御やデータの計算、加工処理等を行なう中枢部分となっている。
【００２４】
データ入力部１２は、例えばデジタルチューナーなどの外部装置からデジタルデータを
入力するためのインタフェースである。
【００２５】
ハードディスク１３は、各種データを記録するための媒体であり、記憶するデータの種
別毎に複数の領域（パーティション）に物理的に分割されている。ハードディスク１３は
、少なくともデータ記憶領域Ａ、データ記憶領域Ａ’、データ記憶領域Ｂ、管理情報記憶
領域を含むように構成されている。
【００２６】
データ記憶領域Ａ〜データ記憶領域Ｂの詳細については後述する。管理情報記憶領域は
、録画処理の実行履歴を記録、管理するためのものである。
【００２７】
バッファメモリ１４は、データ入力部１２より入力されたデジタルデータを一時的に記
録しておくためのものである。
【００２８】
圧縮プログラム１５は、データ入力部１２より入力されたデジタルデータを別の圧縮方
式にコード変換するためのプログラムであり、ＲＯＭ媒体内に記憶されている。
【００２９】
データ出力部１６は、例えばモニターなどの外部装置に対して映像データおよび音声デ
ータを出力するためのインタフェースである。
【００３０】
ＤＶＤスロット１７は、例えば録画データをＤＶＤメディアに記録する際などに、ＤＶ
Ｄメディアを収納するためのものである。
【００３１】
操作ボタン群２１は、ユーザーが番組の録画および再生等の各種指示をハードディスク
レコーダ６０に対して行なうためのものである。フロントパネル２２は、ハードディスク
レコーダ６０の各種情報をユーザーに対して表示するためのものである。
〈２．録画重要度の算出処理について〉
図５は、本発明における録画重要度の算出に用いる録画重要度チェックテーブルを示し
たものである。録画重要度チェックテーブルは、図４のハードディスク１３の管理情報記
録領域に記録されている。
【００３２】
制御部１１は、ユーザーからの録画指示があった際に、録画重要度チェックテーブルと
、図４の管理情報記憶領域に記録されている録画履歴情報とを用いて、録画対象番組の録
画重要度を算出する。例えば、図５のチェックテーブルの一行目に示すように、録画対象
の番組に対して誤消去防止用の保護が行なわれているかのチェックを行なう。図５に示す
例では保護が行なわれている（チェック欄に○がついている）ので、録画重要度に５が加
算される。
【００３３】
続いて、例えば録画対象番組が継続的に録画されている（ユーザーが毎週、決まった日
時に必ず録画している）番組であるかのチェックを行なう。図５に示す例では、ユーザー
が継続的に録画している番組ではない（チェック欄に×がついている）ので、録画重要度
の３は加算されず、録画重要度の合計値は５のままとなる。
【００３４】
上記のように各チェック項目に対する処理を繰り返し実行し、録画対象番組の録画重要
度を算出する。最終的に合計された値が録画重要度として記憶され、後述する録画工程処
理において参照される。
〈３．データ記憶領域について〉
図６、図７は、本発明におけるハードディスク１３内のデータ記憶領域Ａ〜データ記憶
領域Ｂについて、ハードディスクレコーダ６０に内蔵されているハードディスクの台数に
より場合分けして示した図である。ハードディスク１３が一台の場合、データ記憶領域は
図６の構成となる。ハードディスクが複数台（例えば二台）の場合、データ記憶領域は図
７の構成となる。なお、各領域はパーティション（物理的に隔離された領域）単位で分割
されており、万が一ある領域のデータが破損したとしても、他領域に対する影響が最小限
に留まるように構成されている。
【００３５】
図６に示すように、ハードディスクレコーダ６０に内蔵されているハードディスク１３
が一台の場合、データ記憶領域は三つの区画（データ記憶領域Ａ、データ記憶領域Ａ’, 
データ記憶領域Ｂ）に分割される。また図７に示すように、ハードディスクレコーダ６０
に内蔵されているハードディスク１３が複数台（例えば二台）の場合、各データ記憶領域
は二つの区画（データ記憶領域Ａとデータ記憶領域Ｂ、もしくはデータ記憶領域Ａ’とデ
ータ記憶領域Ｂ）に分割される。
【００３６】
録画処理実行時、前記録画重要度が閾値を越えず、後述するバックアップ録画処理が実
行されなかった場合、録画データは記憶領域Ｂに記憶される。
【００３７】
録画処理実行時、前記録画重要度が閾値を越え、後述するバックアップ録画処理が実行
された場合、録画データは記憶領域Ａもしくは記憶領域Ａ’のどちらか一方に記憶される
。また同時に、録画データを圧縮して作成された圧縮データが、記憶領域Ａもしくは記憶
領域Ａ’のうち、前記録画データが記憶されなかった領域に記憶される。
【００３８】
例えば、録画データが記憶領域Ａに記憶された場合、圧縮データは記憶領域Ａ’に記憶
される。逆に録画データが記憶領域Ａ’に記憶された場合、圧縮データは記憶領域Ａに記
憶される。
【００３９】
なお、記憶領域Ａに保存されている録画データをユーザーが消去した場合、それに対応
する記憶領域Ａ’の圧縮データも自動的に消去される。録画データを記憶領域Ａもしくは
記憶領域Ａ’のどちらに録画するかの判断方法については後述する。
〈４−１．ハードディスクレコーダの録画工程について〉
ここで、本発明のハードディスクレコーダ６０における録画工程を図１のフローチャー
トと、図４、図６、図７のブロック図とを用いて説明する。
【００４０】
図１に示すように、制御部１１が録画処理開始命令を受信することにより、本録画処理
が開始される。録画処理開始命令は、例えばユーザーが操作ボタン群２１を操作して録画
操作を行なった場合、もしくはあらかじめ設定された予約録画の録画時刻が来た場合、も
しくはハードディスクレコーダ６０が持つ自動録画機能の実行などにより発行される（Ｓ
１）。
【００４１】
録画処理開始命令を受けた制御部１１は、管理情報記憶領域に記憶されている録画履歴
情報と録画重要度チェックテーブルを用いて、録画対象の番組の録画重要度を算出する（
Ｓ２）。算出された値が閾値を越える場合、Ｓ３以降の処理を行なう。閾値を越えない場
合、録画データを図６、図７に示す録画領域Ｂに記憶する（Ｓ２ａ）。
【００４２】
上記Ｓ２で録画重要度が閾値を越えた場合、制御部１１は、録画データを圧縮してバッ
クアップデータとするための圧縮方式を決定する（Ｓ３）。圧縮方式は、例えば高品質な
ＭＰＥＧ４−ＡＶＣ方式や、ＤＶＤ録画の規格であるＭＰＥＧ−２方式などから選ばれる
。どの圧縮方式を用いるかは、例えばハードディスクレコーダのハード構成や、もしくは
ユーザーが指定する圧縮方式設定等により決定される。
【００４３】
制御部１１はハードディスク１３のデータ記憶領域Ａおよびデータ記憶領域Ａ’の空き
容量を確認し、録画処理を行なうために十分な空き容量があるかを判断する（Ｓ４）。空
き容量が不足している場合、エラー処理（例えば録画処理を中断してユーザーに容量不足
の通知を行う等）を実行し、本処理を終了する（Ｓ４ａ）。
【００４４】
制御部１１はハードディスク１３のデータ記憶領域Ａおよびデータ記憶領域Ａ’の空き
容量を確認し、どちらの空き容量が大きいかを判断する（Ｓ５）。空き容量の大きい領域
に無圧縮の録画データが、容量の小さい領域に圧縮データが記憶される。以下では、デー
タ記憶領域Ａ＞データ記憶領域Ａ’である場合の実施例を示す。
【００４５】
制御部１１は、データ入力部１２から入力された映像データおよび音声データを、バッ
ファメモリ１４に記憶させる。制御部１１は、バッファメモリ１４に記憶されたデータを
、データ記憶領域Ａに記憶する（Ｓ６ａ）。
【００４６】
制御部１１は、バッファメモリ１４に記憶されたデータを、Ｓ３で決定された圧縮方式
により圧縮する（Ｓ７ａ）。
【００４７】
続いて制御部１１は、前記Ｓ７ａで作成された圧縮データをデータ記憶領域Ａ’に記憶
する（Ｓ８ａ）。以上のようにして、録画データおよび圧縮データが、各記憶領域に記録
される。
【００４８】
なお、Ｓ５にてデータ記憶領域Ａ＜データ記憶領域Ａ’と判断された場合は、無圧縮の
録画データがデータ記憶領域Ａ’に、圧縮データがデータ記憶領域Ａに記憶されることと
なる（Ｓ６ｂ〜Ｓ８ｂ）。
〈４−２．ハードディスクレコーダの再生工程について〉
ここで、本発明のハードディスクレコーダ６０における再生工程を図２のフローチャー
トと、図４、図６、図７のブロック図とを用いて説明する。
【００４９】
図２に示すように、制御部１１が再生処理開始命令を受信することにより、本再生処理
が開始される。再生処理開始命令は、例えばユーザーが操作ボタン群２１を操作して再生
を指示する等により発行される（Ｓ１）。
【００５０】
再生処理開始命令を受けた制御部１１は、管理情報記憶領域を参照し、再生に指定され
たデータがどのデータ記憶領域に記憶されているかの確認を行なう。続いて、データが記
憶されている領域を参照し、その領域に録画データが存在するか、および録画データが破
損していないかのチェックを行なう（Ｓ２）。
【００５１】
正常な録画データが存在する場合、制御部１１は録画データを外部の表示装置（モニタ
ー）に出力し、本処理を終了する（Ｓ３）。録画データが存在しない、もしくは録画デー
タが破損している場合、正常な録画データが存在しないことをユーザーに通知した後、以
降の処理を実行する（Ｓ３ａ）。
【００５２】
上記Ｓ３ａの結果、正常な録画データが存在しない場合、制御部１１は管理情報記憶領
域を参照し、再生に指定された番組の圧縮データが存在するかの確認を行なう（Ｓ４）。
圧縮データが存在する場合、圧縮データを外部の表示装置（モニター）に出力し、本処理
を終了する（Ｓ５）。圧縮データが存在しない場合、そのまま本処理を終了する。
〈４−３．ハードディスクレコーダのＤＶＤ録画工程について〉
ここで、本発明のハードディスクレコーダ６０におけるＤＶＤ録画工程を図３のフロー
チャートと、図４、図６、図７のブロック図とを用いて説明する。
【００５３】
図３に示すように、制御部１１がＤＶＤ録画処理開始命令を受信することにより、本Ｄ
ＶＤ録画処理が開始される。ＤＶＤ録画処理開始命令は、例えばユーザーが操作ボタン群
２１を操作してＤＶＤへの記録を指示する等により発行される（Ｓ１）。
【００５４】
ＤＶＤ録画処理開始命令を受けた制御部１１は、管理情報記憶領域を参照し、指定され
た番組の圧縮データがデータ記憶領域Ａ、もしくはデータ記憶領域Ａ’に存在するか、な
おかつ圧縮データがＤＶＤ録画用フォーマットで圧縮されているかの確認を行う（Ｓ２）
。
【００５５】
ＤＶＤ録画用フォーマットの圧縮データが存在する場合、前記圧縮データを用いて、Ｄ
ＶＤ録画処理を行なう（Ｓ３ａ）。
【００５６】
ＤＶＤ録画用フォーマットの圧縮データが存在しない場合、ユーザーに対して、ＤＶＤ
録画用フォーマットの圧縮データを作成するように指示する。（Ｓ３ｂ）。なお、ユーザ
ーが手動でＤＶＤ録画用フォーマットの圧縮データを作成する処理は従来技術と同様であ
るため、本実施例では省略する。
〈５．本発明の種々ある特徴について〉
本実行形態によると、
ユーザーが番組を録画する際に、録画データのバックアップを行なうかどうかの判断（
図１のＳ２）と、バックアップデータの作成（図１のＳ８ａ、Ｓ８ｂ）とを、ハードディ
スクレコーダ６０が自動的に行う。
【００５７】
従って、例えば録画データが破損したとしても、ユーザーはバックアップされていた圧
縮データを用いて再生処理を行なう（図２のＳ５）ことが可能である。また、録画した番
組ごとにバックアップデータを作成し、バックアップデータを管理する煩わしさも無くす
ことができる。
【００５８】
また、本実行形態によると、バックアップ用データを、高品質の圧縮処理方法を用いて
作成することが可能である（図１のＳ７ａ、Ｓ７ｂ）。
【００５９】
従って、バックアップデータの容量を削減し、ハードディスクを有効に活用できるとと
もに、ハードディスクにかかるコストを削減することができる。
【００６０】
また、本実行形態によると、バックアップ用の圧縮データ作成の際に、あらかじめ定め
られたＤＶＤ録画用フォーマットで圧縮を行なうように選択することが可能である（図１
のＳ３）。
【００６１】
従って、ユーザーが録画データをＤＶＤ録画する際に、録画時に作成された圧縮データ
をＤＶＤ録画用データとして流用することができる（図３のＳ３ａ）。これにより、ＤＶ
Ｄ録画処理の作業時間が短縮さる。また、例えば録画データが破損した場合に、バックア
ップデータを更に圧縮してＤＶＤ録画用データを作成する等の二重圧縮処理を避けること
ができる。これにより、より品質の高いＤＶＤ録画を行なうことができる。
【００６２】
また、本実行形態によると、バックアップ用データを通常の録画データとは物理的に隔
離された領域に記憶している。
【００６３】
従って、例えば録画データが物理的に破損した場合でも、その影響がバックアップデー
タに及ぶことを最小限に留めることができる（図６、図７）。
［その他の実施の形態］
以上、好ましい実施の形態及び実施例をあげて本発明を説明したが、本発明は必ずしも
上記実施の形態及び実施例に限定されるものではなく、その技術的思想の範囲内において
様々に変形して実行することができる。
【００６４】
例えば前述した実行形態の機能を実現するソフトウェアのプログラムコードを記録した
記憶媒体を、ハードディスクレコーダ６０に供給し、そのハードディスクレコーダ６０内
のコンピュータ（例えばＣＰＵ）が記憶媒体に格納されたプログラムコードを読出し実行
することによっても、達成されることは言うまでもない。
【００６５】
この場合、記憶媒体から読出されたプログラムコード自体が、前述した実行形態の機能
を実現することになり、そのプログラムコードを記憶した記憶媒体は本発明を構成するこ
とになる。
【００６６】
なお、プログラムコードを供給するための記憶媒体としては、例えば、フロッピディス
ク、ハードディスク、光ディスク、光磁気ディスク、ＣＤ−ＲＯＭ、ＣＤ−Ｒ、磁気テー
プ、不揮発性のメモリカードなどを用いることができる。
【００６７】
また、コンピュータが読出したプログラムコードを実行することにより、前述した実行
形態の機能が実現されるだけでなく、そのプログラムコードの指示に基づき、コンピュー
タ上で稼働しているＯＳ（オペレーティングシステム）などが実際の処理の一部または全
部を行い、その処理によって前述した実行形態の機能が実現される場合も含まれることは
言うまでもない。
【００６８】
さらに、記憶媒体から読出されたプログラムコードが、コンピュータに挿入された機能
拡張ボードやコンピュータに接続された機能拡張ユニットに備わるメモリに書込まれた後
、そのプログラムコードの指示に基づき、その機能拡張ボードや機能拡張ユニットに備わ
るＣＰＵなどが実際の処理の一部または全部を行い、その処理によって前述した実行形態
の機能が実現される場合も含まれることは言うまでもない。
【図面の簡単な説明】
【００６９】
【図１】本発明の記録処理のフローチャートである。
【図２】本発明の再生処理のフローチャートである。
【図３】本発明のＤＶＤ録画処理のフローチャートである。
【図４】本発明のハードディスクレコーダの電気回路システムの要部構成図である。
【図５】本発明の録画重要度管理テーブルの構成図である。
【図６】本発明のハードディスク（一台の場合）の領域構成図である。
【図７】本発明のハードディスク（複数台の場合）の領域構成図である。
【符号の説明】
【００７０】
１１      制御部
１２      データ入力部
１３      ハードディスク（磁気記憶媒体）
１４      バッファメモリ
１５      圧縮プログラム
１６      データ出力部
２１      操作ボタン群
６０      ハードディスクレコーダ（記憶再生装置）
【図１】
2006236538.tif 000003
【図２】
2006236538.tif 000004
【図３】
2006236538.tif 000005
【図４】
2006236538.tif 000006
【図５】
2006236538.tif 000007
【図６】
2006236538.tif 000008
【図７】
2006236538.tif 000009